【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
情報処理装置であって、
所定の通信プロトコルを用いて、ネットワークを介して接続された少なくとも１つの外部装置とセッションを形成する形成手段と、
前記セッションを形成する外部装置のそれぞれから、前記セッションを形成する外部装置のそれぞれが対応する前記所定の通信プロトコルのバージョン情報を受信する受信手段と、
前記受信手段により受信した前記所定の通信プロトコルのバージョン情報に基づき、前記情報処理装置と前記セッションを形成する外部装置のすべてとが対応する前記所定の通信プロトコルのバージョンのうち、いずれのバージョンでセッションを形成するかを選択する選択手段とを有し、
前記形成手段は、前記選択手段より選択された前記所定の通信プロトコルのバージョンで通信を行うためのセッションを形成し、
前記セッションは、前記形成手段による形成後も他の装置の新たな参加を許容することを特徴とする情報処理装置。
【請求項２】
前記所定の通信プロトコルのバージョンを選択する選択画面を表示部に表示する表示手段をさらに有し、
前記選択手段は、前記選択画面に対するユーザ操作に基づき、前記所定の通信プロトコルのバージョンのうち、いずれのバージョンでセッションを形成するかを選択するかを選択することを特徴とする請求項１に記載の情報処理装置。
【請求項３】
前記選択画面は、前記情報処理装置と前記セッションを形成する外部装置のすべてとが対応する前記所定の通信プロトコルのバージョンのうち、最も上位のバージョンを選択候補に含むことを特徴とする請求項２に記載の情報処理装置。
【請求項４】
前記選択画面は、前記情報処理装置と前記セッションを形成する外部装置のすべてとが対応する前記所定の通信プロトコルのバージョンのうち、最も下位のバージョンを選択候補に含むことを特徴とする請求項２に記載の情報処理装置。
【請求項５】
前記形成手段によりセッションを形成した後、他の外部装置から既に形成されたセッションへの参加要求を受け付ける受け付け手段をさらに有する請求項１乃至４のいずれか１項に記載の情報処理装置。
【請求項６】
前記受け付け手段が前記他の外部装置から前記参加要求を受信した場合、前記受信手段は前記他の外部装置が対応する前記所定の通信プロトコルのバージョン情報を受信し、
前記形成手段は、前記既に形成されたセッションで用いている前記所定の通信プロトコルのバージョンと、前記他の外部装置が対応する前記所定の通信プロトコルのバージョンとに基づき、前記既に形成されたセッションに前記他の外部装置を参加させるかを決定することを特徴とする請求項５に記載の情報処理装置。
【請求項７】
前記他の外部装置が対応する前記所定の通信プロトコルのバージョンに、前記既に形成されたセッションで用いている前記所定の通信プロトコルのバージョンが含まれる場合、前記形成手段は前記既に形成されたセッションに前記他の外部装置を参加させることを決定することを特徴とする請求項６に記載の情報処理装置。
【請求項８】
前記他の外部装置が対応する前記所定の通信プロトコルのバージョンに、前記既に形成されたセッションで用いている前記所定の通信プロトコルのバージョンが含まれない場合、前記形成手段は前記既に形成されたセッションに前記他の外部装置を参加させないことを決定することを特徴とする請求項６または７に記載の情報処理装置。
【請求項９】
前記他の外部装置が対応する前記所定の通信プロトコルのバージョンに、前記既に形成されたセッションで用いている前記所定の通信プロトコルのバージョンが含まれない場合、前記既に形成されたセッションの終了を終了するかを問い合わせる通知手段をさらに有する請求項６に記載の情報処理装置。
【請求項１０】
前記他の外部装置が対応する前記所定の通信プロトコルのバージョンに、前記既に形成されたセッションで用いている前記所定の通信プロトコルのバージョンが含まれない場合、前記表示制御手段は前記所定の通信プロトコルのバージョンを変更するための画面を前記表示部に表示することを特徴とする請求項６に記載の情報処理装置。
【請求項１１】
前記情報処理装置のモードを設定する設定手段をさらに有し、
前記設定手段により、１つの外部装置のみとセッションを形成するモードが設定されている場合、前記選択手段は、前記情報処理装置と前記セッションを形成する外部装置とが対応する前記所定の通信プロトコルのバージョンのうち、最も上位のバージョンを自動的に選択することを特徴とする請求項１乃至１０のいずれか１項に記載の情報処理装置。
【請求項１２】
前記情報処理装置のモードを設定する設定手段をさらに有し、
前記設定手段により、既に形成されたセッションに他の装置が参加できないモードが設定されている場合、前記選択手段は、前記情報処理装置と前記セッションを形成する外部装置のすべてとが対応する前記所定の通信プロトコルのバージョンのうち、最も上位のバージョンを自動的に選択することを特徴とする請求項１乃至１０のいずれか１項に記載の情報処理装置。
【請求項１３】
前記情報処理装置のモードを設定する設定手段をさらに有し、
前記設定手段により、既に形成されたセッションに他の装置が参加できるモードが設定されている場合、前記選択手段は、前記情報処理装置と前記セッションを形成する外部装置のすべてとが対応する前記所定の通信プロトコルのバージョンのうち、最も下位のバージョンを自動的に選択することを特徴とする請求項１乃至１０のいずれか１項に記載の情報処理装置。
【請求項１４】
情報処理装置の制御方法であって、
ネットワークを介して接続された外部装置のうち、少なくともセッションを形成する外部装置のそれぞれから、前記セッションを形成する外部装置のそれぞれが対応する所定の通信プロトコルのバージョン情報を受信する受信工程と、
前記受信工程で受信した前記所定の通信プロトコルのバージョン情報に基づき、前記情報処理装置と前記セッションを形成する外部装置のすべてとが対応する前記所定の通信プロトコルのバージョンのうち、いずれのバージョンでセッションを形成するかを選択する選択工程と、
前記選択工程で選択された前記所定の通信プロトコルのバージョンで通信を行うためのセッションを形成する形成工程とを有し、
前記セッションは、前記形成工程での形成後も他の装置の新たな参加を許容することを特徴とする情報処理装置の制御方法。
【請求項１５】
コンピュータを、請求項１乃至１３のいずれか１項に記載の情報処理装置の各手段として機能させるためのコンピュータが読み取り可能な情報処理装置。
【手続補正２】
【補正対象書類名】明細書
【補正対象項目名】０００７
【補正方法】変更
【補正の内容】
【０００７】
上記課題を解決するために、本発明にかかる情報処理装置は、所定の通信プロトコルを用いて、ネットワークを介して接続された少なくとも１つの外部装置とセッションを形成する形成手段と、前記セッションを形成する外部装置のそれぞれから、前記セッションを形成する外部装置のそれぞれが対応する前記所定の通信プロトコルのバージョン情報を受信する受信手段と、前記受信手段により受信した前記所定の通信プロトコルのバージョン情報に基づき、前記情報処理装置と前記セッションを形成する外部装置のすべてとが対応する前記所定の通信プロトコルのバージョンのうち、いずれのバージョンでセッションを形成するかを選択する選択手段とを有し、前記形成手段は、前記選択手段より選択された前記所定の通信プロトコルのバージョンで通信を行うためのセッションを形成し、前記セッションは、前記形成手段による形成後も他の装置の新たな参加を許容することを特徴とする。